(57)【要約】【課題】電線束に対する止水剤の塗布量のバラツキを低減することが可能な止水剤塗布ノズルを提供すること。【解決手段】止水剤塗布ノズル４０は、複数本の電線Ｃを整列させた電線束ＣＴに対して、電線Ｃの整列方向に沿って止水剤を塗布する。止水剤塗布ノズル４０は、止水剤を電線束ＣＴへ向けて吐出するように整列方向に交差する交差方向に延びるスリット状の吐出口５２と、止水剤を吐出口５２に向けて供給する供給路５１と、供給路５１を経た止水剤の少なくとも一部を、吐出口５２からの吐出前に交差方向に向けて案内する案内壁５４と、を備える。案内壁５４は、２つのスリット状の吐出口５２に挟まれる位置に配置される。【選択図】図１０
2019212450.tif 000002
【特許請求の範囲】
【請求項１】
複数本の電線を整列させた電線束に対して前記電線の整列方向に沿って止水剤を塗布する止水剤塗布ノズルであって、
前記止水剤を前記電線束へ向けて吐出するように前記整列方向に交差する交差方向に延びるスリット状の吐出口と、
前記止水剤を前記吐出口に向けて供給する供給路と、
前記供給路を経た前記止水剤の少なくとも一部を、前記吐出口からの吐出前に前記交差方向に向けて案内する案内壁と、を備える、
止水剤塗布ノズル。
【請求項２】
請求項１に記載の止水剤塗布ノズルにおいて、
前記吐出口は、
前記交差方向に沿って並ぶ２つのスリット状の開口部から構成され、
前記案内壁は、
２つの前記開口部に挟まれる位置に設けられる、
止水剤塗布ノズル。
【請求項３】
請求項１又は請求項２に記載の止水剤塗布ノズルであって、
前記供給路に接続されて前記供給路を経た前記止水剤を一時的に貯留する空間を画成すると共に、前記空間を経た前記止水剤を前記吐出口に向けて送り込む貯留部を更に備え、
前記貯留部は、
前記空間の前記交差方向に直交する平面上の断面積が、前記供給路との接続箇所から離れるにつれて小さくなるように構成された、
止水剤塗布ノズル。
【発明の詳細な説明】
【技術分野】
【０００１】
本発明は、複数本の電線を整列させた電線束に対してその整列方向に沿って止水剤を塗布する止水剤塗布ノズルに関する。
【背景技術】
【０００２】
従来から、車両に搭載された電源等と各種の電装品等とを接続するための電線束（いわゆるワイヤハーネス）が知られている。そのようなワイヤハーネスのうち、例えば、車体パネル等に設けられた貫通孔をグロメットを介して通り抜けるように配索されるワイヤハーネスには、止水性を向上するべく、グロメットとの接触箇所に止水剤を設ける止水処理が施される場合がある（例えば、特許文献１〜３を参照）。
【０００３】
この種の止水処理の手法として、例えば、ワイヤハーネスを構成する電線束の外周部分に止水剤を塗布した後に止水剤を覆うようにシート材を巻き付け、シート材を介して止水剤を電線束の内側向きに押圧することで、電線と電線との間の隙間に止水剤を浸透させる手法が挙げられる（例えば、特許文献１を参照）。また、電線束へ止水剤を塗布するための装置として、例えば、いわゆるフラットケーブルのような面状の配列状態をなすように整列させた電線束に対し、複数の止水剤塗布用のノズルによって電線束を挟み込みながら止水剤を塗布する装置が挙げられる（例えば、特許文献２，３を参照）。
【先行技術文献】
【特許文献】
【０００４】
【特許文献１】特許第４１１８７６９号公報
【特許文献２】特開２００４−５５２６７号公報
【特許文献３】特開２００８−１８１８１５号公報
【発明の概要】
【発明が解決しようとする課題】
【０００５】
ワイヤハーネスに対して上述したような止水処理を施すにあたり、止水剤塗布用のノズルに設けられた止水剤の吐出口の開口面積を大きくし、一度の塗布工程で出来る限り多数の電線に対して一括して止水剤を塗布するようにすれば、止水処理の作業効率を向上し得るとも思われる。しかし、不用意に吐出口を大型化すると、止水剤の粘性の大きさ等に起因し、吐出口の開口領域の場所ごとに（特に、吐出口がスリット状の幅広形状を有する場合、その幅方向において）止水剤の吐出量にバラツキが生じる可能性がある。このような吐出量のバラツキが生じた場合、電線束に対して止水剤が均等に塗布されず、止水剤の厚さの偏り（塗布ムラ）が生じる可能性がある。止水性を向上する観点等において、このような塗布ムラは出来る限り抑制されることが望ましい。
【０００６】
本発明は、上述した事情に鑑みてなされたものであり、その目的は、電線束に対する止水剤の塗布量のバラツキを低減することが可能な止水剤塗布ノズルを提供することにある。
【課題を解決するための手段】
【０００７】
前述した目的を達成するために、本発明に係る止水剤塗布ノズルは、下記（１）〜（３）を特徴としている。
（１）
複数本の電線を整列させた電線束に対して前記電線の整列方向に沿って止水剤を塗布する止水剤塗布ノズルであって、
前記止水剤を前記電線束へ向けて吐出するように前記整列方向に交差する交差方向に延びるスリット状の吐出口と、
前記止水剤を前記吐出口に向けて供給する供給路と、
前記供給路を経た前記止水剤の少なくとも一部を、前記吐出口からの吐出前に前記交差方向に向けて案内する案内壁と、を備える、
止水剤塗布ノズルであること。
（２）
上記（１）に記載の止水剤塗布ノズルにおいて、
前記吐出口は、
前記交差方向に沿って並ぶ２つのスリット状の開口部から構成され、
前記案内壁は、
２つの前記開口部に挟まれる位置に設けられる、
止水剤塗布ノズルであること。
（３）
上記（１）又は上記（２）に記載の止水剤塗布ノズルであって、
前記供給路に接続されて前記供給路を経た前記止水剤を一時的に貯留する空間を画成すると共に、前記空間を経た前記止水剤を前記吐出口に向けて送り込む貯留部を更に備え、
前記貯留部は、
前記空間の前記交差方向に直交する平面上の断面積が、前記供給路との接続箇所から離れるにつれて小さくなるように構成された、
止水剤塗布ノズルであること。
【０００８】
上記（１）の構成の止水剤塗布ノズルによれば、供給路を経た止水剤の少なくとも一部が、案内壁によって交差方向に向けて案内された後、スリット状の吐出口から吐出されることになる。よって、このような案内壁が存在しない場合に比べ、スリット状の吐出口の開口領域の場所ごとの吐出量のバラツキを低減できる。したがって、本構成の止水剤塗布ノズルは、電線束に対する止水剤の塗布量のバラツキを低減することが可能である。
【０００９】
上記（２）の構成の止水剤塗布ノズルによれば、案内壁を止水剤塗布ノズルの吐出口内に配置するにあたり、吐出口を構成する２つのスリット状の開口部に挟まれる位置に、案内壁が配置される。この配置により、他の位置に案内壁が配置される場合に比べ、案内壁が２つの開口部に対してより均一に止水剤を案内し得ることになる。よって、本構成の止水剤塗布ノズルは、電線束に対する止水剤の塗布量のバラツキを更に低減することが可能である。
【００１０】
上記（３）の構成の止水剤塗布ノズルによれば、貯留部の内部空間の断面積が、供給路との接続箇所から離れるにつれて小さくなる。貯留部の内部空間がこのような形状を有することにより、止水剤がある程度大きな粘性を有する場合であっても、貯留部の内部空間における止水剤の供給圧の偏りを、供給路との接続箇所からの距離によらず低減し得る。よって、本構成の止水剤塗布ノズルは、電線束に対する止水剤の塗布量のバラツキを更に低減することが可能である。
【発明の効果】
【００１１】
本発明によれば、電線束に対する止水剤の塗布量のバラツキを低減することが可能な止水剤塗布ノズルを提供できる。
【００１２】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１３】
【図１】図１は、止水剤塗布装置の構成を説明する概略側面図である。
【図２】図２は、止水剤塗布装置の下端部における概略側面図である。
【図３】図３は、固定側ノズルの斜視図である。
【図４】図４は、固定側ノズルの正面図である。
【図５】図５は、図４におけるＡ−Ａ断面図である。
【図６】図６は、図４におけるＢ−Ｂ断面図である。
【図７】図７は、図６におけるＣ部拡大図である。
【図８】図８（ａ）は、本実施形態に係る止水剤塗布ノズルである可動側ノズルを正面側からみた斜視図であり、図８（ｂ）は、可動側ノズルを背面側からみた斜視図である。
【図９】図９は、本実施形態に係る止水剤塗布ノズルである可動側ノズルの正面図である。
【図１０】図１０（ａ）は、図９におけるＤ−Ｄ断面斜視図であり、図１０（ｂ）は、図９におけるＥ−Ｅ断面図である。
【図１１】図１１は、図９におけるＦ−Ｆ断面図である。
【図１２】図１２は、図１１におけるＧ部拡大図である。
【図１３】図１３（ａ）は、変形例に係る可動側ノズルの図１０（ｂ）に対応する図であり、図１３（ｂ）は、他の変形例に係る可動側ノズルの図１０（ｂ）に対応する図である。
【図１４】図１４は、変形例に係る固定側ノズルの斜視図である。
【図１５】図１５は、変形例に係る固定側ノズルの正面図である。
【発明を実施するための形態】
【００１４】
以下、本発明に係る実施の形態の例を、図面を参照して説明する。
【００１５】
＜止水剤塗布装置＞
図１は、止水剤塗布装置の構成を説明する概略側面図である。
【００１６】
図１に示すように、止水剤塗布装置１０は、インナー１１と、二つのアウター１２とを備えている。この止水剤塗布装置１０は、複数本の電線を束ねたワイヤハーネスのグロメットへの挿通箇所に止水処理を施すために、ワイヤハーネスを構成する電線束の所定箇所に止水剤を塗布する装置である。止水剤塗布装置１０で電線束に止水剤が塗布されたワイヤハーネスは、その止水剤の塗布箇所にシートが巻き付けられてグロメットへ通される。止水剤としては、シリコーン等の１液性の樹脂を用いるのが好ましいが、２液性の樹脂を用いてもよい。
【００１７】
止水剤塗布装置１０を構成するインナー１１及びアウター１２は、支持ブロック１３に支持されている。インナー１１は、支持ブロック１３に固定されて下方へ延在されている。アウター１２は、インナー１１の両側に配置されている。
【００１８】
インナー１１の端部には、固定側ノズル２０が設けられ、それぞれのアウター１２の端部には、可動側ノズル４０が設けられている。アウター１２は、支持ブロック１３に設けられた取付片１４に回動可能に支持されている。これにより、アウター１２に設けられた可動側ノズル４０は、固定側ノズル２０に対して近接離間方向へ移動可能とされている。
【００１９】
支持ブロック１３とアウター１２との間には、取付片１４におけるアウター１２の支持箇所よりも後端側に圧縮バネ１５が設けられている。これにより、アウター１２の先端に設けられた可動側ノズル４０は、インナー１１の先端に設けられた固定側ノズル２０へ向かって近接する方向へ付勢されている。
【００２０】
支持ブロック１３には、アウター１２の可動側ノズル４０に繋がるチューブ１６が接続されている。この支持ブロック１３には、アダプタ１７が設けられており、このアダプタ１７を介してディスペンサ（図示略）から止水剤が供給される。固定側ノズル２０には、支持ブロック１３に供給される止水剤が、インナー１１に設けられた流路（図示略）を介して供給される。可動側ノズル４０には、支持ブロック１３に供給される止水剤が、チューブ１６を介して供給される。固定側ノズル２０は、供給される止水剤を両側へ向かって吐出し、可動側ノズル４０は、供給される止水剤を、それぞれ片側である内側へ吐出する。
【００２１】
図２は、止水剤塗布装置の下端部における概略側面図である。
【００２２】
図２に示すように、止水剤塗布装置１０は、ワイヤハーネスを構成する複数本の電線Ｃを二つの電線束ＣＴに分割した状態で、その電線束ＣＴの間にインナー１１の固定側ノズル２０が挿し込まれ、電線束ＣＴの外側にアウター１２の可動側ノズル４０が配置される。この状態で、電線束ＣＴの電線Ｃは、インナー１１側である内側を基準としてフラットに整列される。
【００２３】
止水剤塗布装置１０は、電線束ＣＴに対して電線Ｃの整列方向へ相対的に移動されることで、固定側ノズル２０から吐出される止水剤を各電線束ＣＴの基準とされた一方側に塗布し、可動側ノズル４０から吐出される止水剤を各電線束ＣＴの基準と反対の他方側に塗布する。
【００２４】
＜固定側ノズル＞
図３は、固定側ノズルの斜視図である。図４は、本実施形態に係る止水剤塗布ノズルである固定側ノズルの正面図である。図５は、図４におけるＡ−Ａ断面図である。図６は、図４におけるＢ−Ｂ断面図である。図７は、図６におけるＣ部拡大図である。
【００２５】
図３及び図４に示すように、固定側ノズル２０は、ノズル本体２１に、一対の吐出部２２を有している。それぞれの吐出部２２は、供給路３１と、吐出口３２と、貯留部３３とを有している。ノズル本体２１は、その下部に、下方へ向かって次第に窄まるガイド部２３を有しており、電線束ＣＴ間へ円滑に挿し込み可能とされている。
【００２６】
供給路３１は、ノズル本体２１の上部で開口されており、インナー１１の流路と連通される。これにより、供給路３１には、インナー１１の流路から止水剤が送り込まれる。供給路３１は、ノズル本体２１の下方へ向かってノズル本体２１の幅方向の中央へ傾斜されている。
【００２７】
吐出口３２は、電線Ｃの整列方向と直交する方向、つまり、ノズル本体２１の幅方向に沿って形成されたスリットＳからなるもので、ノズル本体２１の側面に設けられている。吐出口３２は、供給路３１に供給された止水剤を電線束ＣＴに向かって吐出する。
【００２８】
図５及び図６に示すように、貯留部３３は、ノズル本体２１における供給路３１と吐出口３２との間に設けられている。貯留部３３は、吐出口３２に対してノズル本体２１の奥側で、ノズル本体２１の幅方向に沿って形成されている。この貯留部３３には、その中央で供給路３１が連通されており、この供給路３１から止水剤が送り込まれる。貯留部３３には、長手方向にわたって吐出口３２が連通されており、これにより、貯留部３３に送り込まれた止水剤は、貯留部３３から吐出口３２を構成するスリットＳへ送り出される。この貯留部３３は、吐出口３２からの止水剤の吐出方向と直交する断面積が吐出口３２よりも大きな空隙からなるもので、供給路３１から送り込まれる止水剤を貯留する。
【００２９】
図７に示すように、ノズル本体２１の側面には、吐出口３２における止水剤の吐出方向前方側に、保持凹部３５が形成されている。これにより、スリットＳからなる吐出口３２は、保持凹部３５の底部で開口されている。この保持凹部３５には、吐出口３２から吐出される止水剤が保持される。
【００３０】
＜可動側ノズル＞
図８（ａ）は、本実施形態に係る止水剤塗布ノズルである可動側ノズルを正面側からみた斜視図であり、図８（ｂ）は、可動側ノズルを背面側からみた斜視図である。図９は、本実施形態に係る止水剤塗布ノズルである可動側ノズルの正面図である。図１０（ａ）は、図９におけるＤ−Ｄ断面斜視図であり、図１０（ｂ）は、図９におけるＥ−Ｅ断面図である。図１１は、図９におけるＦ−Ｆ断面図である。図１２は、図１１におけるＧ部拡大図である。
【００３１】
図８及び図９に示すように、可動側ノズル４０は、ノズル本体４１に、吐出部４２を有している。吐出部４２は、供給路５１と、吐出口５２と、貯留部５３と、案内壁５４と、を有している。ノズル本体４１は、支柱部４３と、支柱部４３の下部の幅広部４４とを有している。
【００３２】
供給路５１は、ノズル本体４１の支柱部４３の下部における背面側で開口されており（図８（ｂ）参照）、この供給路５１には、チューブ１６が接続される。これにより、供給路５１には、チューブ１６から止水剤が送り込まれる。供給路５１は、ノズル本体４１の幅広部４４の中央へ向かって延在されている（図１０を参照）。
【００３３】
吐出口５２は、電線Ｃの整列方向と直交する方向、つまり、ノズル本体４１の幅方向に沿って配列された一対のスリットＳからなるもので、ノズル本体４１の幅広部４４の側面に設けられている。一対のスリットＳは、案内壁５４を挟んで一列に直線状に幅方向に並んでいる。吐出口５２は、供給路５１に供給された止水剤を電線束ＣＴに向かって吐出する。
【００３４】
図１０及び図１１に示すように、貯留部５３は、ノズル本体４１の幅広部４４における供給路５１と吐出口５２との間に設けられている。貯留部５３は、吐出口５２に対してノズル本体４１の幅広部４４の奥側で、幅広部４４に沿って形成されている。貯留部５３の内部空間の幅方向（図１０（ｂ）において左右方向）に直交する平面上の断面積（空間断面積）は、貯留部５３の幅方向に亘って一定である。この貯留部５３には、その中央で供給路５１が連通されており、この供給路５１から止水剤が送り込まれる。図１２に示すように、貯留部５３には、吐出口５２のスリットＳが連通されており、これにより、貯留部５３に送り込まれた止水剤は、貯留部５３から吐出口５２を構成する一対のスリットＳへ送り出される。この貯留部５３は、吐出口５２からの止水剤の吐出方向と直交する断面積が吐出口５２よりも大きな空隙からなるもので、供給路５１から送り込まれる止水剤を貯留する。
【００３５】
図１０に示すように、案内壁５４は、２つのスリットＳに挟まれる位置に設けられており、幅方向に延びる吐出口５２の幅方向中央部にて吐出口５２の上下壁を連結する壁部分を構成している。換言すれば、案内壁５４は、吐出口５２を、幅方向に沿って並ぶ２つのスリットＳに分割するように配置されている。また、図１０（ｂ）から理解できるように、案内壁５４は、供給路５１と貯留部５３との接続箇所からの止水剤の貯留部５３への流入方向の延長線上に位置している。
【００３６】
このため、供給路５１から貯留部５３に流入した止水剤の少なくとも一部が、案内壁５４に衝突し、案内壁５４に衝突した止水剤の流れの向きが幅方向（図１０（ｂ）において左右方向）に変化する。この結果、止水剤の少なくとも一部が、案内壁５４によって幅方向に向けて案内され、その後、一対のスリットＳからなる吐出口５２から吐出されることになる。よって、案内壁５４が存在しない場合に比べ、一対のスリットＳからなる吐出口５２からの吐出量の幅方向の偏りを低減できる。
【００３７】
＜止水剤の塗布＞
次いで、上記構成の止水剤塗布装置１０によってワイヤハーネスを構成する電線束ＣＴに止水剤を塗布する場合について説明する。
【００３８】
圧縮バネ１５の付勢力に抗してアウター１２を回動させて保持し、インナー１１の固定側ノズル２０からアウター１２の可動側ノズル４０を離間させる。
【００３９】
複数の電線Ｃを二つの電線束ＣＴに分割したワイヤハーネスに対して、固定側ノズル２０を分割した電線束ＣＴ間へ挿し込み、固定側ノズル２０側を基準として各電線束ＣＴの電線Ｃをフラットに整列させ、アウター１２の保持を解除する。このようにすると、アウター１２の可動側ノズル４０が圧縮バネ１５の付勢力によって固定側ノズル２０側へ付勢される。これにより、固定側ノズル２０と可動側ノズル４０とで電線束ＣＴが挟まれた状態とされる。
【００４０】
この状態で、ディスペンサから止水剤を供給することで、固定側ノズル２０及び可動側ノズル４０のそれぞれの吐出部２２，４２の吐出口３２，５２から止水剤を吐出させながら止水剤塗布装置１０を、ワイヤハーネスに対する装着時と反対に引き離すように移動させる。このようにすると、止水剤を吐出する固定側ノズル２０及び可動側ノズル４０が、各電線束ＣＴに対して電線Ｃの整列方向へ移動することで、各電線束ＣＴの表裏に止水剤が帯状に塗布される。
【００４１】
この止水剤の塗布工程において、固定側ノズル２０及び可動側ノズル４０では、供給路３１，５１から送り込まれる止水剤が、吐出口３２，５２からの止水剤の吐出方向と直交する断面積が吐出口３２，５２よりも大きな空隙からなる貯留部３３，５３に一旦貯留され、止水剤の供給圧が貯留部３３，５３で分散される。したがって、吐出口３２，５２から電線束ＣＴへ向かって吐出される止水剤の吐出圧の偏りが抑制される。
【００４２】
そして、固定側ノズル２０では、吐出口３２を構成するスリットＳから止水剤が幅広く均等に吐出される。この吐出口３２から吐出される止水剤は、保持凹部３５に保持された後、電線束ＣＴの基準とされた一方側に幅広く塗布される。
【００４３】
また、可動側ノズル４０では、吐出口５２を構成する一対のスリットＳから止水剤が幅広く吐出される。したがって、電線束ＣＴには、基準と反対の他方側に幅広く止水剤が塗布される。このとき、上述した案内壁５４による止水剤の幅方向への案内作用（図１０（ｂ）の矢印の向きの変化を参照）により、案内壁５４が存在しない場合に比べ、一対のスリットＳからなる吐出口５２からの吐出量の幅方向の偏りをより一層低減できる。
【００４４】
以上、説明したように、本実施形態に係る止水剤塗布ノズルである可動側ノズル４０によれば、供給路５１を経た止水剤の少なくとも一部が、案内壁５４によってノズル本体４１の幅方向に向けて案内された後、一対のスリットＳからなる吐出口５２から吐出されることになる。よって、案内壁５４が存在しない場合に比べ、一対のスリットＳからなる吐出口５２からの吐出量の幅方向の偏りを低減できる。したがって、本構成の止水剤塗布ノズルは、電線束ＣＴへ止水剤を幅広く均等に塗布して止水処理の作業性を向上させることが可能である。
【００４５】
＜他の形態＞
なお、本発明は上記各実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４６】
例えば、上記実施形態では、貯留部５３における幅方向（図１０（ｂ）において左右方向）に直交する空間断面積は、貯留部５３の幅方向に亘って一定である（図１０（ｂ）参照）。これに対し、図１３（ａ）に示すように、貯留部５３を画成する奥側（図１３（ａ）にて上側）の壁５３ａを、貯留部５３の幅方向中央部から幅方向外側に離れるにつれて前側（図１３（ａ）にて下側）に位置するように傾斜させてもよい。これによれば、貯留部５３における幅方向（図１３（ａ）において左右方向）に直交する空間断面積が、貯留部５３の幅方向中央部（換言すると、供給路５１と貯留部５３との接続箇所）から離れるにつれて小さくなる。この結果、貯留部５３の内部での止水剤の供給圧のバラツキを、供給路５１と貯留部５３との接続箇所からの距離によらず低減できる。
【００４７】
更に、上記実施形態では、案内壁５４は、吐出口５２を、幅方向に沿って並ぶ２つのスリットＳに分割するように配置されている（図１０（ｂ）参照）。これに対し、図１３（ｂ）に示すように、案内壁５４が、吐出口５２を幅方向に分割することなく、幅方向に延びる１つのスリットＳで構成された吐出口５２よりも奥側（図１３（ｂ）にて上側）に位置していてもよい。この場合、案内壁５４は、貯留部５３の幅方向中央部にて貯留部５３の上下壁を連結する壁部分である。この例においても、案内壁５４は、２つのスリットＳに挟まれる位置にあると言え、供給路５１と貯留部５３との接続箇所からの止水剤の貯留部５３への流入方向の延長線上に位置している。このため、案内壁５４は、上述した止水剤の幅方向への案内作用（図１３（ｂ）の矢印の向きの変化を参照）を発揮し得る。
【００４８】
更に、例えば、可動側ノズル４０の吐出口５２における止水剤の吐出方向前方側に、止水剤を保持する保持凹部を形成してもよい。このようにすると、電線束ＣＴへ止水剤を塗布する際に、吐出口５２から吐出された止水剤が電線Ｃとの接触によってそぎ落ちるのを抑制でき、電線束ＣＴへ塗布する止水剤の均一な塗布厚を確実に確保することができる。
【００４９】
ここで、固定側ノズル２０及び可動側ノズル４０の変形例について説明する。
＜固定側ノズルの変形例＞
図１４は、変形例に係る固定側ノズルの斜視図である。図１５は、変形例に係る固定側ノズルの正面図である。
【００５０】
図１４及び図１５に示すように、この変形例に係る固定側ノズル２０Ａは、電線Ｃの整列方向と直交する方向に沿って配列された複数の孔部Ｈからなる吐出口３２を有しており、これらの孔部Ｈからなる吐出口３２が貯留部３３に連通されている。また、これらの複数の孔部Ｈからなる吐出口３２は、ノズル本体２１におけるガイド部２３に形成されている。
【００５１】
この固定側ノズル２０Ａでは、吐出口３２とされた複数の孔部Ｈから止水剤を均等に吐出させて電線束ＣＴに対して止水剤を均等に幅広く塗布することができる。また、吐出口３２を複数の孔部Ｈとすることで、各孔部Ｈから止水剤を高い吐出圧で遠くへ飛ばすことができ、離れた電線束ＣＴの電線Ｃに対しても確実に止水剤を塗布することができる。
【００５２】
なお、この変形例に係る固定側ノズル２０Ａは、吐出口３２がノズル本体２１におけるガイド部２３に形成されているので、電線束ＣＴに対して吐出口３２が離れた位置に配置されることとなる。したがって、吐出口３２から吐出される止水剤を保持する保持凹部３５がなくても、吐出した止水剤が相対的に移動する電線Ｃとの接触によってそぎ落とされることなく電線Ｃに確実に塗布され、これにより、塗布厚を確実に確保することができる。
【００５３】
ここで、上述した本発明に係る止水剤塗布ノズルの実施形態の特徴をそれぞれ以下［１］〜［３］に簡潔に纏めて列記する。
［１］
複数本の電線（Ｃ）を整列させた電線束（ＣＴ）に対して前記電線の整列方向に沿って止水剤を塗布する止水剤塗布ノズル（４０）であって、
前記止水剤を前記電線束へ向けて吐出するように前記整列方向に交差する交差方向に延びるスリット状の吐出口（５２）と、
前記止水剤を前記吐出口に向けて供給する供給路（５１）と、
前記供給路を経た前記止水剤の少なくとも一部を、前記吐出口からの吐出前に前記交差方向に向けて案内する案内壁（５４）と、を備える、
止水剤塗布ノズル。
［２］
上記［１］に記載の止水剤塗布ノズルにおいて、
前記吐出口（５２）は、
前記交差方向に沿って並ぶ２つのスリット状の開口部（Ｓ）から構成され、
前記案内壁（５４）は、
２つの前記開口部（Ｓ）に挟まれる位置に設けられる、
止水剤塗布ノズル。
［３］
上記［１］又は上記［２］に記載の止水剤塗布ノズルであって、
前記供給路（５１）に接続されて前記供給路を経た前記止水剤を一時的に貯留する空間を画成すると共に、前記空間を経た前記止水剤を前記吐出口（５２）に向けて送り込む貯留部（５３）を更に備え、
前記貯留部（５３）は、
前記空間の前記交差方向に直交する平面上の断面積が、前記供給路（５１）との接続箇所から離れるにつれて小さくなるように構成された、
止水剤塗布ノズル。
【符号の説明】
【００５４】
４０  可動側ノズル（止水剤塗布ノズル）
５１  供給路
５２  吐出口
５３  貯留部
５４  案内壁
Ｃ    電線
ＣＴ  電線束
Ｓ    スリット（開口部）
【図１】
2019212450.tif 000003
【図２】
2019212450.tif 000004
【図３】
2019212450.tif 000005
【図４】
2019212450.tif 000006
【図５】
2019212450.tif 000007
【図６】
2019212450.tif 000008
【図７】
2019212450.tif 000009
【図８】
2019212450.tif 000010
【図９】
2019212450.tif 000011
【図１０】
2019212450.tif 000012
【図１１】
2019212450.tif 000013
【図１２】
2019212450.tif 000014
【図１３】
2019212450.tif 000015
【図１４】
2019212450.tif 000016
【図１５】
2019212450.tif 000017